(57)【要約】【課題】紙等のブランクシートを用いて構成できる携帯情報端末用の簡易スタンドの開発を技術課題とした。【解決手段】帯状のブランクシートＢに、支承板１と、前立ち上げ板２と、底板３と、背面ブレース板４と、背もたれ板５とが、平行する折線を介して連接状態に区画形成されて成り、前立ち上げ板２と支承板５と底板３とにより側面視三角形状の支承部組立体Ｓ１を構成し、更に背面ブレース板４と背もたれ板５と支承板１の一部とによって、側面視三角形状に立ち上がった背もたれ組立体Ｓ２を形成し、前記支承板１の手前側寄り部位と背もたれ板５とにより前面が開放された載置部Ｓ０を形成するように構成した。【選択図】図１
2014165598.tif 000002
【特許請求の範囲】
【請求項１】
帯状のブランクシートに、支承板と、前立ち上げ板と、底板と、背面ブレース板と、背もたれ板とが、平行する折線を介して連接状態に区画形成されて成り、前記前立ち上げ板と支承板とを底板上面を基準に谷折り状態に折り曲げ形成するとともに、支承板自由端側を掛止構造により底板奥部寄りの部位に掛止し、側面視三角形状の支承部組立体を構成し、一方、前記背面ブレース板と背もたれ板とを底板上面を基準に谷折り状態に順次折り曲げ形成するとともに、背もたれ板の自由端側を掛止構造により支承板の手前寄り部位に掛止し、背面ブレース板と背もたれ板と支承板の一部とによって、側面視三角形状に立ち上がった背もたれ組立体を形成し、前記支承板の手前側寄り部位と背もたれ板とにより前面が開放された載置部を形成するように構成されていることを特徴とする携帯情報端末機器の簡易スタンド。
【請求項２】
前記支承部組立体及び背もたれ組立体を形成するための掛止構造は、要掛止部材の保持孔とフラップとの嵌め合い構造であることを特徴とする請求項１記載の携帯情報端末機器の簡易スタンド。
【請求項３】
前記支承部組立体及び背もたれ組立体を形成するための掛止構造は、ロック片とロック孔とから成るロック構造を具えていることを特徴とする請求項２記載の携帯情報端末機器の簡易スタンド。
【請求項４】
前記支承板における支承面手前側には、前立ち上げ板と同一面を構成するずれ止めフラップが、支承面より上方に立ち上がるように設けられていることを特徴とする請求項１、２または３記載の携帯情報端末機器の簡易スタンド。
【請求項５】
前記支承部組立体の組立状態を解除し、支承板を前立ち上げ板との境の支承部形成折線において更に折り曲げ、底板と前立ち上げ板とに折り重ね状態とした場合において、支承板組立フラップが、このものが掛止する支承板保持孔から抜け出さない状態に寸法設定されていることを特徴とする請求項１、２、３または４記載の携帯情報端末機器の簡易スタンド。
【請求項６】
前記背もたれ組立体の組立状態を解除し、背もたれ板と背面ブレース板とを平板状に折り畳むにあたっては、支承板が折り重ねられた上に更にこれらを折り重ね、背面ブレース板から延長される折り畳み保持フラップを支承板に形成される背もたれ保持孔に差し込み、折り畳み状態を保持することを特徴とする請求項１、２、３、４または５記載の携帯情報端末機器の簡易スタンド。
【請求項７】
前記ブランクシートは板紙製であることを特徴とする請求項１、２、３、４、５または６記載の携帯情報端末機器の簡易スタンド。
【発明の詳細な説明】
【技術分野】
【０００１】
本発明は、例えば板紙製のブランクシートを用いて組立形成できるようにした、携帯情報端末機器の簡易スタンドに関するものである。
【背景技術】
【０００２】
携帯電話やいわゆるスマートフォン等の携帯情報端末機器が普及している。これらは移動時には使用者が身に着けて携行するが、例えば室内業務等の際には、携帯電話等を机上や書類棚、本棚等において作業することがしばしば行われる。このような場合、充電作業を兼ねて手元に配した充電スタンドに携帯電話等を立てかけて着信等の待機を行うこともあるが、そのような使い方以外は多くは常時習慣的に定置場所となっている位置に伏せ置くような取り扱いがほとんどである。また常時立てかける習慣がある利用者の場合、自身の業務場所では問題ないものの、出先でのこのような立てかけて待機させるような扱い方はほとんどできない。もちろん従来このようなことから携帯電話等のスタンドが提案されているが、構成のシンプルさや扱い易さ、更には必要な強度、携行の便等を総合的に考慮すると必ずしも充分ではない。
【先行技術文献】
【特許文献】
【０００３】
【特許文献１】実用新案登録第３０７０１５８号公報
【発明の概要】
【発明が解決しようとする課題】
【０００４】
本発明はこのような背景を考慮してなされたものであって、例えば紙等のブランクシートを用いて構成できる携帯情報端末用の簡易スタンドの開発を技術課題とした。特に簡易な構成並びに組立形態であるにもかかわらず充分な保持強度を発揮できる構成や、平板状に折り畳んで携行にも便利な構成を具えた簡易スタンドを提案するものである。
【課題を解決するための手段】
【０００５】
まず請求項１記載の携帯情報端末機器の簡易スタンドは、帯状のブランクシートに、支承板と、前立ち上げ板と、底板と、背面ブレース板と、背もたれ板とが、平行する折線を介して連接状態に区画形成されて成り、前記前立ち上げ板と支承板とを底板上面を基準に谷折り状態に折り曲げ形成するとともに、支承板自由端側を掛止構造により底板奥部寄りの部位に掛止し、側面視三角形状の支承部組立体を構成し、一方、前記背面ブレース板と背もたれ板とを底板上面を基準に谷折り状態に順次折り曲げ形成するとともに、背もたれ板の自由端側を掛止構造により支承板の手前寄り部位に掛止し、背面ブレース板と背もたれ板と支承板の一部とによって、側面視三角形状に立ち上がった背もたれ組立体を形成し、前記支承板の手前側寄り部位と背もたれ板とにより前面が開放された載置部を形成するように構成されていることを特徴として成るものである。
【０００６】
また請求項２記載の携帯情報端末機器の簡易スタンドは、前記請求項１記載の要件に加え、前記支承部組立体及び背もたれ組立体を形成するための掛止構造については、要掛止部材の保持孔とフラップとの嵌め合い構造であることを特徴として成るものである。
【０００７】
また請求項３記載の携帯情報端末機器の簡易スタンドは、前記請求項２記載の要件に加え、前記支承部組立体及び背もたれ組立体を形成するための掛止構造については、ロック片とロック孔とから成るロック構造を具えていることを特徴として成るものである。
【０００８】
また請求項４記載の携帯情報端末機器の簡易スタンドは、前記請求項１、２または３記載の要件に加え、前記支承板における支承面手前側には、前立ち上げ板と同一面を構成するずれ止めフラップが、支承面より上方に立ち上がるように設けられていることを特徴として成るものである。
【０００９】
また請求項５記載の携帯情報端末機器の簡易スタンドは、前記請求項１、２、３または４記載の要件に加え、前記支承部組立体の組立状態を解除し、支承板を前立ち上げ板との境の支承部形成折線において更に折り曲げ、底板と前立ち上げ板とに折り重ね状態とした場合において、支承板組立フラップが、このものが掛止する支承板保持孔から抜け出さない状態に寸法設定されていることを特徴として成るものである。
【００１０】
また請求項６記載の携帯情報端末機器の簡易スタンドは、前記請求項１、２、３、４または５記載の要件に加え、前記背もたれ組立体の組立状態を解除し、背もたれ板と背面ブレース板とを平板状に折り畳むにあたっては、支承板が折り重ねられた上に更にこれらを折り重ね、背面ブレース板から延長される折り畳み保持フラップを支承板に形成される背もたれ保持孔に差し込み、折り畳み状態を保持することを特徴として成るものである。
【００１１】
また請求項７記載の携帯情報端末機器の簡易スタンドは、前記請求項１、２、３、４、５または６記載の要件に加え、前記ブランクシートは板紙製であることを特徴として成るものである。
【発明の効果】
【００１２】
まず請求項１記載の発明によれば、帯状の比較的シンプルなブランクシート等を折り曲げ形成し、側面視で三角形状の支承部組立体を形成するとともに、その背面には背面ブレース板と背もたれ板と支承板の一部とによって、側面視三角形状に立ち上がった背もたれ組立体を形成するものであり、それぞれが三角形状であることに因み比較的シンプルな帯状ブランクシートを出発素材としながらも充分な強度を具えた簡易スタンドが得られたものである。
【００１３】
また請求項２記載の発明によれば、側面視いずれも三角形状の支承部組立体と背もたれ組立体とを形成するにあたっての掛止構造は、保持孔とフラップとの噛み合い構造であり、極めてシンプルで組立操作も行い易い形態である。
【００１４】
また請求項３記載の発明によれば、掛止構造にはロック片とロック孔とから成るロック構造を具えており、その形状維持が接着剤等を用いることなく、簡単に行い得る。
【００１５】
また請求項４記載の発明によれば、携帯情報端末機器を下方から支承する支承面の前方には、ずれ止めフラップが設けられており、携帯電話等を確実にもたれかけさせて保持することができる。
【００１６】
また請求項５記載の発明によれば、支承部組立体の部位において、これらの構成部材を平板状に折り畳んだ場合、支承板の設けられている支承板組立フラップは半ば支承板保持孔から抜け出さない状態に寸法設定されており、結果的に次に組み立てる場合であっても単に前立ち上げ板を曲げ起こすような操作で支承部組立体の再構成が可能であり、極めて簡単な操作の下で、折り畳み、組み立てが行い得る。
【００１７】
また請求項６記載の発明によれば、背もたれ組立体の組立状態を解除してこれらの構成部材を平板状に折り畳むにあたっては、支承板が折り重ねられた上にこれらを折り重ねるとともに、背面ブレース板から延長される折り畳み保持フラップを支承板に形成される背もたれ保持孔に差し込めば、全ブランクシートの長さ寸法のほぼ１／４程度の範囲の寸法に平板状に折り畳むことができ、携行するにあたってのスペースがほぼ名刺カード状のスペースで済み、携行が行い易い。
【００１８】
また請求項７記載の発明によれば、ブランクシートは板紙製であり、低コストで且つ組み立てにあたっての操作が極めて行い易い。
【図面の簡単な説明】
【００１９】
【図１】本発明の携帯情報端末機器の簡易スタンドの使用状態を示す斜視図であり、併せブランクシートからの組立状態を示すものである。
【図２】本発明の携帯情報端末機器の簡易スタンドのブランクシートを示す平面図である。
【図３】本発明の携帯情報端末機器の簡易スタンドの組立状態を示す斜視図であり、ブランクシートから支承部組立体を構成する手順を示すものである。
【図４】同上背もたれ組立体の形成手順を示す説明図である。
【図５】本発明の携帯情報端末機器の簡易スタンドの格納折り畳み状態を示す斜視図である。
【図６】本発明に適用できるフラップとスリットの係合構造の他の実施例を示す正面図である。
【図７】本発明の携帯情報端末機器の簡易スタンドの他の実施例を示す説明図である。
【図８】同上更に他の実施例を示す説明図である。
【図９】同上更に他の実施例を示す説明図である。
【発明を実施するための形態】
【００２０】
本発明を実施するための形態は、以下に述べる実施例をその一つとするものであり、更にこれらの技術思想の下で改変される種々の形態を含むものである。
【実施例】
【００２１】
以下本発明を図示の実施例に基づいて具体的に説明する。まず本発明たる携帯情報端末機器の簡易スタンドＳ（以下簡易スタンドＳと記す）の使用形態等を図１において示す。この簡易スタンドＳは組立状態において側面視三角形状の支承部組立体Ｓ１と、その後方（奥部寄り）に立ち上げ状態に側面視三角状態の背もたれ組立体Ｓ２を具える。この背もたれ組立体Ｓ２の前面と、支承部組立体Ｓ１の手前側部位の空間を携帯情報端末機器Ｍの載置部Ｓ０とする。そしてこの簡易スタンドＳは、例えば利用者の机、書類棚、本棚等に適宜置かれて、携帯情報端末機器Ｍを載置部Ｓ０に立てかけて用いる。
【００２２】
以下この簡易スタンドＳに付いて具体的に説明する。まずこのものの構成部材であるブランクシートＢについて説明する。このブランクシートＢは図２に示すように全体として帯状を成すものであり、順次支承板１、前立ち上げ板２、底板３、背面部ブレース板４、背もたれ板５とがそれぞれ平行する折線により区画され、連接状態に形成されている。なおこのブランクシートＢの素材については、板紙が好適な材料の一例として挙げられるが、同様の目的、作用効果を得られるものであれば、他の材料であってももとより差し支えない。例えば、紙素材のものであれば、いわゆるＦフルート、Ｇフルート等の微細なフルートを用いた「Ｆ段」、「Ｇ段」等と称される段ボールを含めた段ボール素材を用いることもできるし、更には目的が達成できる程度のいわゆる「コシ」をもった樹脂シートを適用することもできる。加えて、素材としては単一素材ではなく、樹脂と紙との積層、ラミネート処理をした複合材料や、更には織布や天然素材としての突板、アルミ箔等の金属箔等をこれらに複合させたもの等が適用できる。
【００２３】
まずこれら各部材について説明する。支承板１はブランクシートＢの一端にほぼ矩形状に形成されたものであり、自由端側を一方の端部とすると他端側は支承部形成折線Ｌ１並びにずれ止めフラップ切り込みＣ１を境として形成されている。そして支承部形成折線Ｌ１側に寄った位置に横長状の背もたれ保持孔１１が形成されるものであり、この背もたれ保持孔１１と支承部形成折線Ｌ１の範囲が携帯情報端末機器Ｍの底部を支持する支承部１０となる。そしてこの背もたれ保持孔１１には前立ち上げ板２側から同一面に突出している背もたれロック片１２が舌片状に構成される。更に支承板１の自由端側にはこれと一体に支承部組立フラップ１３が延長形成される。支承板組立フラップ１３はその幅寸法を支承板１の幅寸法より狭くするとともに、その基部側に偏平な矩形状のほぼスリットに近い形態の支承板ロック孔１４を開口させる。なお支承板１の範囲において支承部１０以外の部位、すなわち背もたれ保持孔１１と自由端側の範囲を支承板奥部１５とする。
【００２４】
次にこの支承板１に連接される前立ち上げ板２について説明する。前立ち上げ板２は、前記支承板１と支承部形成折線Ｌ１及びずれ止めフラップ切り込みＣ１を一方の境とし、他方底板側の立ち上げ折線Ｌ２を他の境界として区画された、偏平な矩形状部材である。そして前記ずれ止めフラップ切り込みＣ１により、前立ち上げ板２はその面と共通したずれ止めフラップ２１を具える。次に底板３について説明する。この底板３は前記立ち上げ折線Ｌ２と背面形成折線Ｌ３との間に区画される矩形状部材であり、背面形成折線Ｌ３にほぼ沿うように底板３側が切り込まれて支承板保持孔３１が形成される。そして隣接する背面ブレース板４側から延長される支承板ロック片３２が底板３側に、向かって突出した形状となっている。
【００２５】
次に背面ブレース板４について説明すると、このものは背面形成折線Ｌ３と背もたれ形成折線Ｌ４との間に区画される矩形状部材であり、隣接する背もたれ板５側に延長するように折り畳み保持フラップ切り込みＣ２により折り畳み保持フラップ４１が突出するように形成されている。更に背面ブレース板４に隣接する背もたれ板５について説明する。このものはほぼ矩形状を有するものであり、自由端側に背もたれ組立フラップ５１を幅狭に突出状態に形成するとともに、そのものの基部中央部に偏平な横長の背もたれロック孔５２を具える。
【００２６】
次にこれら各支承板１、前立ち上げ板２、底板３、背面ブレース板４、背もたれ板５に関しての寸法について説明する。まず前記支承板組立フラップ１３の長さ寸法、すなわち帯状のブランクシートＢの長手方向に見た寸法を、支承板組立フラップ寸法Ａ１とし、支承板１の長さ寸法を支承板寸法Ａ２とする。そして支承板１については、前記支承板奥部１５の長さ寸法を支承板奥部寸法Ａ３とし、支承部１０の寸法を支承板支承部寸法Ａ４とする。更に前立ち上げ板２の寸法は、前立ち上げ寸法Ａ５とし、これに続く底板にあっては底板寸法Ａ６とし、更に背面ブレース板の寸法は背面ブレース板寸法Ａ７とし、背もたれ板５については、背もたれ板の寸法を背もたれ板寸法Ａ８、更に背もたれ組立フラップ５１については背もたれ組立フラップ寸法Ａ９とする。なおこれらの寸法関係については必要に応じて組立作業あるいは折り畳み態様を説明するにあたって適宜言及する。
【００２７】
このような形状のブランクシートＢを出発素材として本発明の簡易スタンドＳが構成される。
（１）始発状態
始発状態は前述したブランクシートＢが展開した状態とする。
（２）支承部組立体の形成（図３）
支承部組立体Ｓ１を形成するにあたっては、図３に示すようにまず底板３を定置状態として前立ち上げ板２、支承板１をそれぞれ立ち上げ折線Ｌ２及び支承部形成折線Ｌ１においてほぼ９０°ほど谷折り状態に屈曲させる。なおこのブランクシートＢの面については底板３を基準としてみると、図示されている面を上面とするものであり、従ってこの状態における折り曲げ形態を谷折りと言う。このような折り曲げがされながら図３（ｂ）に示すように実際の作業では、ブランクシートＢの撓み等を利用して支承板１における支承板組立フラップ１３を底板３と背面ブレース板４との境界部近く、具体的には底板３と背面ブレース板４との境に形成した支承板保持孔３１に上面から裏面に回り込むように差し込む。このような差し込みを進めると前立ち上げ板２は更に底板３に対しほぼ９０°立ち上がるようになるとともに、ほぼそのタイミングで前記支承板組立フラップ１３における支承板ロック孔１４が背面ブレース板４から延びた支承板ロック片３２の位置に至り、このものと係合してその掛止状態を維持する。もちろんこのような作業は実際には底板３に対し背面ブレース板４が幾分かすでに立ち上がるような状態に屈曲されていることが前提となる。このようにして支承板組立フラップ１３を支承板保持孔３１に充分に挿入した段階では底板３と前立ち上げ板２及び支承板１の寸法関係から、側面視で支承板１が奥下がり状態となった扁平なほぼ直角三角形となるような形態を出現させる。なおこのような条件としては前記支承板寸法Ａ２と底板寸法Ａ６との関係はＡ２＞Ａ６の関係を具えることとなる。
【００２８】
（３）背もたれ組立体の形成（図４）
このような状態で更に背もたれブレース板４と背もたれ板５とをそれぞれ背面形成折線Ｌ３と背もたれ形成折線Ｌ４でそれぞれ谷折りする。そして前記背もたれ板５における背もたれ組立フラップ５１を支承板１における背もたれ保持孔１１に差し込んでゆく。そしてこれを進めると、前記背もたれロック片１２の位置に背もたれ板５における背もたれロック孔５２が至り、背もたれ板５の折り曲げ方向と反対方向への復帰傾向に伴い両者が噛み合うような形態をとる。これによって背面ブレース板４、背もたれ板５、支承板１における支承板奥部１５との間で、側面視三角形状の背もたれ組立体Ｓ２が構成される。なおこのとき前記折り畳み保持フラップ４１は折り畳み保持フラップ切り込みＣ２により背もたれ板５とは独立しているから、背面ブレース板４と同一面を維持しながら上方に突出するような形態となる。このような状態で前記支承部１０と背もたれ板５とにより空間が構成され、このものが載置部Ｓ０となるのである。このようにして形成された載置部Ｓ０に携帯電話等の携帯情報端末機器Ｍを立てかけるようにして用いる。
【００２９】
（４）携行時での折り畳み
次にこのような組立状態を解除して携行に便利なように平板に折り畳む場合について説明する。まずその際には最後に組み立てた背もたれ組立体Ｓ２をまず平板状に戻す。すなわちこの作業は、組立作業と逆に背もたれ板５における背もたれ組立フラップ５１を背もたれ保持孔１１から抜き出すようにする。一方、支承板１については、このものにおける支承板組立フラップ１３を支承板保持孔３１から半ば抜き出すような操作を行う。すなわち支承板ロック孔１４と支承板ロック片３２との係合を外して半ば引き抜き状態とする。このとき図５（ｂ）に示すように底板寸法Ａ６と前立ち上げ板寸法Ａ５との和に対して、前記支承板寸法Ａ２と支承板組立フラップ寸法Ａ１との寸法関係は、それぞれＡ２＋Ａ１＞Ａ５＋Ａ６の関係となるので、前記支承板組立フラップ１３は支承板保持孔３１から完全に抜き出ることがなく、半ば嵌まり合った状態となりながらも平板状に折り畳まれた状態を維持する。因みにこのような構成であるから例えば次に組み立てを行う場合には、支承板組立フラップ１３と支承板保持孔３１との嵌め込み作業を要せず単に前立ち上げ板２を立ち上げるような操作を行えば、再び支承板組立フラップ１３が支承板保持孔３１に充分入り込み、支承板ロック孔１４と支承板ロック片３２との噛み合いがなされて再び側面視三角形状の支承部組立体Ｓ１が構成できる。
【００３０】
更に背もたれ組立体Ｓ２の折り畳みについて説明する。まず支承部組立体Ｓ１の平板状への折り畳みが完了した後、図５（ｃ）（ｄ）に示すように背もたれ板５を背面ブレース板４に折り重なるように充分に折り曲げ、次いで背面形成折線Ｌ３を中心に背面ブレース板４と背もたれ板５とを支承板１の外面に折り重ねるように折り曲げる。なおこのとき、背もたれ組立フラップ５１が幾分か背面ブレース板４の基部側（背面形成折線Ｌ３側）より長い場合であっても、例えば紙製のブランクシートＢであれば適宜の撓みにより折り込みは可能である。なおこのときの寸法設定について述べると、背もたれ板寸法Ａ８と背もたれ組立フラップ寸法Ａ９の和は、ほぼ背面ブレース板寸法Ａ７に等しいか、やや大きな寸法となっている。すなわちＡ８＋Ａ９≒Ａ７の関係となる。そして更に背もたれ板５と背面ブレース板４とを折り重ねた状態で、これを折り畳まれた支承板１の上に折り重ねると、前記背面ブレース板寸法Ａ７の寸法は、支承板寸法Ａ２と支承板組立フラップ寸法Ａ１よりやや寸法が短い設定とされていることから、折り畳み保持フラップ４１が背もたれ保持孔１１に臨む位置となっている。従ってこれら背面ブレース板４、背もたれ板５を折り重ねた状態のまま折り畳み保持フラップ４１を背もたれ保持孔１１に差し込めば、その折り畳み状態が維持される。すなわち全体としてほぼ平板状の折り畳み状態を得るものであり、実質的にはブランクシートＢの展開状態の長さ寸法に対しほぼ１／３ないしは１／４程度の長さ寸法に折り畳まれる。因みにこのサイズは、ほぼ名刺サイズに近く、このため図５（ｄ）に示すように、例えば背面ブレース板４の外側面等を利用して、ここに社名、個人名、住所等を表記し、この簡易スタンドＳを変形名刺として活用することも可能である。
【００３１】
本発明の好ましい実施例は以上述べたような形態を採るものであるが、これらの技術思想に基づいて種々の改変が可能である。まず全体形態としての基本的な実施例は、１基の携帯情報端末機器Ｍを支持するようにしたものであるが、これを充分に幅広のものとして図９に示すように２基保持できるような形態とすることも可能である。また例えば支承部組立体Ｓ１はより安定を求められるため、底板３と前立ち上げ板２、支承板１についてのみ図８に示すように背面ブレース板４と背もたれ板５の幅寸法より広めに寸法設定することも可能である。また基本的な実施例ではブランクシートＢに区画した各部材はほぼ矩形状を呈しているが、例えば図８に示すように背もたれ板５についてはその側方に種々の販促デザイン５Ｄ等を施すような形態とすることも可能である。
【００３２】
更に本発明は支承部組立体Ｓ１及び背もたれ組立体Ｓ２を構成するため、フラップと保持孔との差し込み形態を採っており、またその掛止保持もロック孔とロック片との噛み合いによって行っているが、他の形態であってもよい。例えばこれらについては両面接着テープ等を用いた接着保持等の手段であってももとより差し支えない。
【００３３】
更にまた差し込み組み立てにあたっては、図６に示すように例えば支承板１と背もたれ板５との間を例示すると次のような組立構造を採ってもよい。すなわち背もたれ組立フラップ５１の基部に適宜の切り欠き５１Ａを形成しておき、一方支背もたれ保持孔１１については、これをブランクシートＢの中心から一部偏らせて設けておく。そしてブランクシートＢの素材そのものの撓みを利用して偏向させて背もたれ組立フラップ５１を挿入し、挿入完了時点でブランクシートＢを元の自然状態に戻せば、前記切り欠き５１Ａが背もたれ保持孔１１の端縁を噛み込むような状態となり、これによるロック等が可能となる。要はロック形態、差し込み形態等は公知の種々の形態が他の係合個所においても採り得る。
【００３４】
また更にこの簡易スタンドＳが立体組み立てされていることを利用して、例えば図７に示すように背面ブレース板４と支承板１における支承板奥部１５とにそれぞれペン立て孔４Ｈ、１５Ｈを設けておけば、それらを利用してペン等の筆記具Ｐを差し込むような利用形態が採り得る。因みにこの図７に示す実施例にあっては、背もたれ保持孔１１の部位を見ると、背もたれロック片１２が先の実施例と異なり、支承板１における支承板奥部１５側から突出形成されている。このように構成したとしても目的とする作用は得られるものである。
【符号の説明】
【００３５】
１      支承板
１０    支承部
１１    背もたれ保持孔
１２    背もたれロック片
１３    支承板組立フラップ
１３Ａ  切り欠き
１４    支承板ロック孔
１５    支承板奥部
１５Ｈ  ペン立て孔
２      前立ち上げ板
２１    ずれ止めフラップ
３      底板
３１    支承板保持孔
３２    支承板ロック片
４      背面ブレース板
４Ｈ    ペン立て孔
４１    折り畳み保持フラップ
５      背もたれ板
５Ｄ    販促デザイン
５１    背もたれ組立フラップ
５１Ａ  切り欠き
５２    背もたれロック孔
Ａ１    支承板組立フラップ寸法
Ａ２    支承板寸法
Ａ３    支承板奥部寸法
Ａ４    支承板支承部寸法
Ａ５    前立ち上げ板寸法
Ａ６    底板寸法
Ａ７    背面ブレース板寸法
Ａ８    背もたれ板寸法
Ａ９    背もたれ組立フラップ寸法
Ｂ      ブランクシート
Ｃ１    ずれ止めフラップ切り込み
Ｃ２    折り畳み保持フラップ切り込み
Ｌ１    支承部形成折線
Ｌ２    立ち上げ折線
Ｌ３    背面形成折線
Ｌ４    背もたれ形成折線
Ｍ      携帯情報端末機器
Ｐ      筆記具
Ｓ      簡易スタンド
Ｓ０    載置部
Ｓ１    支承部組立体
Ｓ２    背もたれ組立体
【図１】
2014165598.tif 000003
【図２】
2014165598.tif 000004
【図３】
2014165598.tif 000005
【図４】
2014165598.tif 000006
【図５】
2014165598.tif 000007
【図６】
2014165598.tif 000008
【図７】
2014165598.tif 000009
【図８】
2014165598.tif 000010
【図９】
2014165598.tif 000011